(57)【要約】【課題】巻真の操作時のクリック感を所望の大きさに容易に設定でき、かつ小型化が可能なムーブメントを提供する。【解決手段】ムーブメント１０は、軸線Ｌ方向に移動可能な巻真４１と、巻真４１の移動に伴って第１回動軸Ｐ回りに回動し、第１回動軸Ｐ周りの周方向に沿って並ぶ複数の凹部５４ａ〜５４ｃを有するおしどり５０と、凹部５４ａ〜５４ｃに入り込む係合部６３を有し、第２回動軸Ｑ回りに回動可能に設けられた係合レバー６１と、係合レバー６１を凹部５４ａ〜５４ｃに向けて付勢する付勢部６２と、を備える。【選択図】図３
2018146235.tif 000002
【特許請求の範囲】
【請求項１】
軸線方向に移動可能な巻真と、
前記巻真の移動に伴って第１回動軸回りに回動し、前記第１回動軸周りの周方向に沿って並ぶ複数の凹部を有するおしどりと、
前記凹部に入り込む係合部を有し、第２回動軸回りに回動可能に設けられた係合レバーと、
前記係合レバーを前記凹部に向けて付勢する付勢部と、
を備えることを特徴とするムーブメント。
【請求項２】
前記付勢部は、前記係合レバーと一体形成されている、
ことを特徴とする請求項１に記載のムーブメント。
【請求項３】
前記付勢部は、前記係合レバーとは別体に形成されている、
ことを特徴とする請求項１に記載のムーブメント。
【請求項４】
前記おしどりを押さえる押さえ部材を備え、
前記付勢部は、前記押さえ部材と一体形成されている、
ことを特徴とする請求項３に記載のムーブメント。
【請求項５】
前記付勢部は、撓み変形可能に形成され、
前記付勢部に当接し、前記付勢部の撓み変形量を調整可能な偏心ピンをさらに備える、
ことを特徴とする請求項１から４のいずれか１項に記載のムーブメント。
【請求項６】
前記係合レバーは、前記おしどりと同一平面上に配置されている、
ことを特徴とする請求項１から５のいずれか１項に記載のムーブメント。
【請求項７】
請求項１から６のいずれか１項に記載のムーブメントを備えることを特徴とする時計。
【発明の詳細な説明】
【技術分野】
【０００１】
本発明は、ムーブメントおよび時計に関するものである。
【背景技術】
【０００２】
時計には、通常運針モードと、時刻合わせや日付合わせ等を行う修正モードと、を切り替える切替機構が搭載されている。切替機構は、軸線回りに回転可能とされるとともに、引き出し操作や押し込み操作に伴って軸線方向に移動可能とされた巻真と、巻真が挿通される係合孔を有するつづみ車と、巻真の移動に伴って作動し、つづみ車を小鉄車等に噛合させるおしどりおよびかんぬきと、を備えている。
【０００３】
切替機構は、使用者がモードを切り替える引き出し操作や押し込み操作を行う際に、巻真の位置決めを行うとともに、使用者にクリック感を与えるように構成されている。例えば、特許文献１には、おしどりに設けられた節度軸と、裏押さえに設けられた節度ばね部と、を備え、節度軸と節度ばね部とが節度ばね部の撓みによるばね力で係合し、巻真引き時および巻真押し時にクリック感を出す構造が開示されている。節度ばね部は、片持ち梁状に形成されているとともに、節度ばね部には、節度軸を受け入れる複数の凹部が、節度ばね部の延出方向に沿って複数並んで形成されている。そして、おしどりの変位に伴って、節度軸が節度ばね部を撓み変形させながら凹部間の凸部を乗り越えるように移動することで、おしどりに係合する巻真の操作に対してクリック感が生じる。
【先行技術文献】
【特許文献】
【０００４】
【特許文献１】特開２００２−３１６９１号公報
【発明の概要】
【発明が解決しようとする課題】
【０００５】
しかしながら、上記特許文献１に記載の構成では、節度軸を受け入れる複数の凹部が、節度ばね部の延出方向に沿って並んでいる。このため、節度軸と節度ばねとの係合位置によって、節度軸が節度ばね部を撓み変形させるのに要する力の大きさが変化する。具体的に、節度軸が入り込んだ凹部の位置が、節度ばね部の先端に近づくに従い、隣り合う凹部間の山部を乗り越えるのに要する力が小さくなる。このため、巻真の操作時のクリック感が、巻真の位置によってばらつくので、巻真の操作時のクリック感を所望の大きさに設定することが困難となる場合がある。
【０００６】
また、節度ばね部は、節度ばね部自身の撓みによるばね力で、節度軸と係合している。このため、節度ばね部を撓み変形可能な程度に長尺に形成する必要が生じるとともに、凹部を節度軸に向けて付勢するために節度ばね部の配置位置が制限される。このため、節度ばね部を含むムーブメントの構成部品においてレイアウト上の制約が生じ、ムーブメントを小型化することが困難となる場合がある。
【０００７】
そこで本発明は、巻真の操作時のクリック感を所望の大きさに容易に設定でき、かつ小型化が可能なムーブメントおよび時計を提供するものである。
【課題を解決するための手段】
【０００８】
本発明のムーブメントは、軸線方向に移動可能な巻真と、前記巻真の移動に伴って第１回動軸回りに回動し、前記第１回動軸周りの周方向に沿って並ぶ複数の凹部を有するおしどりと、前記凹部に入り込む係合部を有し、第２回動軸回りに回動可能に設けられた係合レバーと、前記係合レバーを前記凹部に向けて付勢する付勢部と、を備えることを特徴とする。
【０００９】
本発明によれば、おしどりが有する複数の凹部は、第１回動軸周りの周方向に沿って並んでいるので、おしどりが巻真の移動に伴って第１回動軸回りに回動した際に、第１回動軸周りの周方向に沿って変位する。このため、係合レバーの係合部と、係合部が入り込む凹部と、の接触位置は、係合レバーの回動中心である第２回動軸から見て、おしどりの回動位置によらず略一定となる。これにより、係合部が凹部に入り込んだ状態から、付勢部に付勢された係合レバーを回動させるのに要する力は、係合部がいずれの凹部に入り込んでいても同等となる。このため、巻真の操作時のクリック感が、巻真の位置によってばらつくことを抑制でき、巻真の操作時のクリック感を所望の大きさに容易に設定できる。
しかも、係合レバーは、付勢部により付勢されているので、係合レバー自体が撓み変形して付勢力を発生させる従来技術の構成と比較して、係合レバーの形状および配置位置の自由度を向上させることができる。よって、ムーブメントの構成部品のレイアウト自由度を向上させることができ、ムーブメントを小型化することが可能となる。
【００１０】
上記のムーブメントにおいて、前記付勢部は、前記係合レバーと一体形成されている、ことが望ましい。
【００１１】
本発明によれば、係合レバーと付勢部とを１つの部品として形成できるので、係合レバーと付勢部とが別部品として形成される構成と比較して、ムーブメントの部品点数を削減でき、製造コストを削減することができる。
【００１２】
上記のムーブメントにおいて、前記付勢部は、前記係合レバーとは別体に形成されている、ことが望ましい。
【００１３】
本発明によれば、係合レバーと付勢部とを別部品として形成できるので、係合レバーと付勢部とが１つの部品として形成される構成と比較して、付勢部の配置位置の自由度を向上させることができる。したがって、ムーブメントの構成部品のレイアウト自由度を向上させることができる。
【００１４】
上記のムーブメントにおいて、前記おしどりを押さえる押さえ部材を備え、前記付勢部は、前記押さえ部材と一体形成されている、ことが望ましい。
【００１５】
本発明によれば、押さえ部材と付勢部とを１つの部品として形成できるので、押さえ部材と付勢部とが別部品として形成される構成と比較して、ムーブメントの部品点数を削減でき、製造コストを削減することができる。
【００１６】
上記のムーブメントにおいて、前記付勢部は、撓み変形可能に形成され、前記付勢部に当接し、前記付勢部の撓み変形量を調整可能な偏心ピンをさらに備える、ことが望ましい。
【００１７】
本発明によれば、偏心ピンにより付勢部の撓み変形量を調整することで、付勢部に付勢される係合レバーを回動させるのに要する力を調整できる。したがって、巻真の操作時のクリック感をより容易に調整できる。
【００１８】
上記のムーブメントにおいて、前記係合レバーは、前記おしどりと同一平面上に配置されている、ことが望ましい。
【００１９】
本発明によれば、係合レバーがおしどりと重なるように配置される構成と比較して、おしどりおよび係合レバーが占有するスペースを薄くすることができる。したがって、ムーブメントを小型化することができる。
【００２０】
本発明の時計は、上記のムーブメントを備えることを特徴とする。
【００２１】
本発明によれば、巻真の操作時のクリック感を所望の大きさに容易に設定でき、かつ小型化が可能な時計を提供できる。
【発明の効果】
【００２２】
本発明によれば、巻真の操作時のクリック感を所望の大きさに容易に設定でき、かつ小型化が可能なムーブメントおよび時計を提供できる。
【図面の簡単な説明】
【００２３】
【図１】第１実施形態に係る時計の外観図である。
【図２】第１実施形態に係るムーブメントの裏側の平面図である。
【図３】第１実施形態に係るムーブメントの一部の構成を裏側から見た平面図である。
【図４】第１実施形態の切替機構の動作説明図であって、切替機構の一部の構成を裏側から見た平面図である。
【図５】第１実施形態の切替機構の動作説明図であって、切替機構の一部の構成を裏側から見た平面図である。
【図６】第１実施形態の切替機構の動作説明図であって、切替機構の一部の構成を裏側から見た平面図である。
【図７】第１実施形態の変形例に係るムーブメントの一部の構成を裏側から見た平面図である。
【図８】第２実施形態に係るムーブメントの裏側の平面図である。
【図９】第２実施形態に係るムーブメントの一部の構成を裏側から見た平面図である。
【図１０】第２実施形態の第１変形例に係るムーブメントの一部の構成を裏側から見た平面図である。
【図１１】第２実施形態の第２変形例に係るムーブメントの一部の構成を裏側から見た平面図である。
【図１２】第２実施形態の第３変形例に係るムーブメントの一部の構成を裏側から見た平面図である。
【発明を実施するための形態】
【００２４】
以下、本発明の実施形態を図面に基づいて説明する。
以下の実施形態では、機械式時計を例に挙げて説明する。
【００２５】
［第１実施形態］
図１は、第１実施形態に係る時計の外観図である。
図１に示すように、本実施形態の時計１は、ケース蓋（不図示）およびガラス２を有する時計ケース３内に、ムーブメント１０や、時刻に関する情報を示す目盛り等を有する文字板４、各種指針（時針５、分針６および秒針７）等が組み込まれて構成されている。文字板４には、日を表す数字である日文字１６を露出させる日窓４ａが開口している。これにより、時計１は、時刻および日を表示することができる。時針５、分針６および秒針７は、中心軸Ｏ回りに回転する。
【００２６】
図２は、第１実施形態に係るムーブメントの裏側の平面図である。
図２に示すように、ムーブメント１０は、基盤を構成する地板１１と、地板１１の裏側に配置された日車１５と、地板１１に組み込まれた日修正機構２０、表輪列（不図示）、裏輪列３０および切替機構４０と、を備えている。地板１１の裏側には、文字板４（図１参照）が配置されている。
【００２７】
日車１５は、文字板４と地板１１との間に配置されている。日車１５は、中心軸Ｏ回りに回転する。日車１５の裏側を向く面には、日文字１６（図１参照）が明示されている。
日修正機構２０は、地板１１の裏側に組み込まれている。日修正機構２０は、日修正車２１と、日修正伝え車２２と、小鉄車２３と、小鉄レバー２４と、を備えている。日修正車２１は、日車１５と噛み合っている。日修正伝え車２２は、日修正車２１と噛み合っている。
【００２８】
小鉄レバー２４は、地板１１に設けられた軸部２５回りに回動可能に設けられている。小鉄レバー２４は、軸部２５に支持された基端部を有するレバー本体２７と、レバー本体２７の基端部から延出するばね部２８と、を備え、これらが一体形成されている。レバー本体２７の基端部は、中心軸Ｏの軸方向から見た平面視（以下、単に「平面視」という。）で日車１５と重なる位置に設けられている。レバー本体２７は、基端部からムーブメント１０の内側に向かって延出している。レバー本体２７は、略一定の幅で延在している。レバー本体２７の先端部には、小鉄車２３が回転可能に支持されている。ばね部２８は、中心軸Ｏ周りの周方向に沿って延在している。ばね部２８の先端には、中心軸Ｏに直交する径方向（以下、単に「径方向」という。）の外側に向かって膨出する膨出部２８ａが形成されている。ばね部２８は、地板１１に形成された溝１１ａ内に配置され、膨出部２８ａが地板１１の溝１１ａにおける径方向の内側を向く面に当接している。これにより、ばね部２８は、地板１１の軸部２５を中心にしてレバー本体２７を図２における時計回りに付勢する。
【００２９】
小鉄車２３は、小鉄レバー２４のばね部２８の付勢力によりムーブメント１０の外側に向かって付勢されている。小鉄車２３は、日修正伝え車２２に対してムーブメント１０の内側から外側に向かう方向に噛み合っている。小鉄車２３は、小鉄レバー２４のレバー本体２７が軸部２５回りに回動することにより、日修正伝え車２２との噛み合いを解除して、日修正伝え車２２から離間することが可能になっている。
【００３０】
表輪列（不図示）は、秒針７（図１参照）が取り付けられた四番車や、香箱車（いずれも不図示）等を備えている。
裏輪列３０は、地板１１の裏側に組み込まれている。裏輪列３０は、日の裏車３１と、筒車３２と、分車（不図示）と、を備えている。日の裏車３１は、分車の回転に基づいて回転する。日の裏車３１は、平面視で中心軸Ｏと小鉄車２３との間に配置されている。筒車３２は、日の裏車３１の回転に基づいて回転する。筒車３２は、中心軸Ｏと同軸に配置されている。筒車３２には、時針５（図１参照）が取り付けられている。分車には、分針６（図１参照）が取り付けられている。
【００３１】
切替機構４０は、巻真４１と、つづみ車４３と、おしどり５０と、クリックばね６０と、かんぬき７０と、裏押さえ８０と、を備えている。
巻真４１は、地板１１に形成された巻真案内穴１２内に軸線Ｌ回りに回転可能、かつ軸線Ｌ方向に移動可能に支持されている。軸線Ｌは、中心軸Ｏに直交している。軸線Ｌは、平面視で小鉄車２３と重なる位置に設けられている。巻真４１には、軸線Ｌに直交する段差面を介して括れ部４１ａが形成されている。また、巻真４１には、きち車４５が設けられている。きち車４５は、括れ部４１ａよりも中心軸Ｏ側の箇所に設けられている。きち車４５は、巻真４１に対して回転可能、かつ巻真４１に対して軸線Ｌ方向に移動不能に設けられている。きち車４５には、図示しない丸穴車が噛み合っている。
【００３２】
つづみ車４３は、巻真４１が挿通され、軸線Ｌと同軸に配置されている。つづみ車４３は、きち車４５よりも中心軸Ｏ側の箇所に配置されている。つづみ車４３は、巻真４１に対して回転不能、かつ巻真４１に対して軸線Ｌ方向に移動可能に設けられている。つづみ車４３は、巻真４１に対して軸線Ｌ方向に移動することで、きち車４５に対してムーブメント１０の内側から外側に向かう方向に噛み合う状態と、小鉄車２３に対してムーブメント１０の外側から内側に向かう方向に噛み合う状態と、を相互に移行可能に構成されている。
【００３３】
おしどり５０は、地板１１に突設された第１支軸１１ｂに支持され、第１回動軸Ｐ回りに回動可能に設けられている。第１回動軸Ｐは、中心軸Ｏと平行に設けられている。おしどり５０は、第１支軸１１ｂに支持された中央部５１と、中央部５１から延びる頭部５２および尾部５３と、を備えている。中央部５１は、中心軸Ｏ周りの周方向において、巻真４１と隣り合うように配置されている。おしどり５０の頭部５２は、長円形状に形成されている。おしどり５０の頭部５２は、巻真４１の括れ部４１ａに配置されている。おしどり５０は、巻真４１の軸線Ｌ方向の移動に追随して頭部５２が変位するように、第１回動軸Ｐ回りに回動する。
【００３４】
図３は、第１実施形態に係るムーブメントの一部の構成を裏側から見た平面図である。
図３に示すように、尾部５３は、中央部５１から、中央部５１を挟んで頭部５２とは反対側に延出している。尾部５３の先端は、中央部５１から離れるに従い幅が漸次広がるように形成されている。尾部５３は、複数（本実施形態では３つ）の凹部５４ａ〜５４ｃと、係合突部５５と、を備えている。
【００３５】
複数の凹部５４ａ〜５４ｃは、第１凹部５４ａと、第２凹部５４ｂと、第３凹部５４ｃと、である。各凹部５４ａ〜５４ｃは、尾部５３の先端縁に形成されている。各凹部５４ａ〜５４ｃは、第１回動軸Ｐ周りの周方向に並んで形成されている。各凹部５４ａ〜５４ｃは、第１凹部５４ａ、第２凹部５４ｂ、第３凹部５４ｃの順に、ムーブメント１０の内側から外側に向かう方向に並んでいる。各凹部５４ａ〜５４ｃは、平面視で巻真４１とは反対側に開口している。第１凹部５４ａと第２凹部５４ｂとの間には、滑らかな第１山部５６ａが形成されている。第２凹部５４ｂと第３凹部５４ｃとの間には、滑らかな第２山部５６ｂが形成されている。
【００３６】
係合突部５５は、複数の凹部５４ａ〜５４ｃよりもムーブメント１０の内側寄りの位置に形成されている。係合突部５５は、ムーブメント１０の内側に向かって突出している。係合突部５５は、かんぬき７０に係合されている。
【００３７】
クリックばね６０は、おしどり５０と同一平面上に並んで配置されている。すなわち、クリックばね６０は、径方向から見ておしどり５０と重なるように配置されている。クリックばね６０は、地板１１（図２参照）に対して回動可能に設けられた係合レバー６１と、係合レバー６１を付勢する付勢部６２と、を備えている。係合レバー６１は、地板１１に突設された第２支軸１１ｃに支持され、第２回動軸Ｑ回りに回動可能に設けられている。第２回動軸Ｑは、第１回動軸Ｐと平行に設けられている。第２回動軸Ｑは、おしどり５０の尾部５３を挟んで、第１回動軸Ｐとは反対側に設けられている。係合レバー６１は、おしどり５０の尾部５３に向かって延びている。係合レバー６１の先端は、おしどり５０の凹部５４ａ〜５４ｃに入り込む係合部６３である。
【００３８】
付勢部６２は、係合レバー６１の係合部６３がおしどり５０の凹部５４ａ〜５４ｃに入り込むように、係合レバー６１をおしどり５０の凹部５４ａ〜５４ｃに向けて付勢する。付勢部６２は、係合レバー６１と一体形成されている。付勢部６２は、係合レバー６１の基端部から、係合レバー６１とは異なる方向に向かって延びている。本実施形態では、付勢部６２は、係合レバー６１の基端部から、第２回動軸Ｑを挟んでおしどり５０の尾部５３とは反対側に向かって延びている。図２に示すように、付勢部６２は、中心軸Ｏ周りの周方向に沿って延びている。付勢部６２は、撓み変形可能に形成されている。付勢部６２の先端には、径方向の外側に向かって膨出する膨出部６２ａが形成されている。付勢部６２は、地板１１に形成された溝１１ａ内に配置され、膨出部６２ａが地板１１の溝１１ａにおける径方向の内側を向く面に当接している。
【００３９】
図３に示すように、かんぬき７０は、おしどり５０と同一平面上に並んで配置されている。すなわち、かんぬき７０は、径方向から見ておしどり５０と重なるように配置されている。かんぬき７０は、地板１１（図２参照）に対して第３回動軸Ｒ回りに回動可能に設けられている。第３回動軸Ｒは、第１回動軸Ｐと平行に設けられている。第３回動軸Ｒは、おしどり５０の尾部５３を挟んで、第１回動軸Ｐとは反対側に設けられている。かんぬき７０は、頭部７１と、複数（本実施形態では３つ）の係合凹部７２ａ〜７２ｃと、係合ピン７３と、を備えている。
【００４０】
かんぬき７０の頭部７１は、つづみ車４３の括れ部４３ａに配置されている。かんぬき７０は、第３回動軸Ｒ回りに回動して頭部７１を変位させることにより、つづみ車４３を巻真４１上で軸線Ｌ方向に移動させる。
【００４１】
複数の係合凹部７２ａ〜７２ｃは、かんぬき７０の頭部７１と基端との間に形成されている。複数の係合凹部７２ａ〜７２ｃは、第１係合凹部７２ａと、第２係合凹部７２ｂと、第３係合凹部７２ｃと、である。各係合凹部７２ａ〜７２ｃは、第１係合凹部７２ａ、第２係合凹部７２ｂ、第３係合凹部７２ｃの順に、かんぬき７０の基端から頭部７１に向かう方向に並んでいる。各係合凹部７２ａ〜７２ｃは、ムーブメント１０の外側に向かって開口している。第１係合凹部７２ａと第２係合凹部７２ｂとの間には、滑らかな第１係合山部７４ａが形成されている。第２係合凹部７２ｂと第３係合凹部７２ｃとの間には、滑らかな第２係合山部７４ｂが形成されている。各係合凹部７２ａ〜７２ｃには、おしどり５０の係合突部５５が係合可能となっている。
【００４２】
係合ピン７３は、かんぬき７０の頭部７１と基端との間に配置されている。係合ピン７３は、中心軸Ｏの軸方向に沿って、地板１１とは反対側に向かって突設されている。係合ピン７３は、小鉄レバー２４のレバー本体２７よりも、ムーブメント１０の外側寄りの位置に設けられている。
【００４３】
図２に示すように、裏押さえ８０は、地板１１の裏側に配置されたムーブメント１０の構成部品を地板１１に向かって押さえる。裏押さえ８０は、おしどり５０、クリックばね６０およびかんぬき７０を挟んで地板１１とは反対側に配置されている。裏押さえ８０は、地板１１に固定された基部８１と、基部８１から延びるおしどり押さえ８２、かんぬきばね８３およびかんぬき押さえ８４と、を備えている。
基部８１は、中心軸Ｏ周りの周方向に沿って延び、平面視でクリックばね６０に重なるように配置されている。
【００４４】
おしどり押さえ８２は、基部８１における巻真４１に近い側の一端部８１ａから、おしどり５０の中央部５１と重なる位置まで延びている。おしどり押さえ８２の先端部は、平面視で地板１１の第１支軸１１ｂを避けるようにＹ字状に形成されている。おしどり押さえ８２の先端部は、おしどり５０を地板１１側に向かって押さえている。
【００４５】
かんぬきばね８３は、基部８１の中間部分から、巻真４１に向かって延びている。かんぬきばね８３の基端部は、第３回動軸Ｒの近傍に設けられている。かんぬきばね８３は、軸線Ｌ方向に直交する方向に沿って、略一定の幅で延びている。かんぬきばね８３は、かんぬき７０を地板１１側に向かって押さえている。また、かんぬきばね８３の先端部は、かんぬき７０の係合ピン７３に対して、ムーブメント１０の内側から外側に向かう方向に当接している。これにより、かんぬきばね８３は、かんぬき７０を第３回動軸Ｒを中心として図２における時計回りに付勢する。
【００４６】
かんぬき押さえ８４は、平面視でおしどり押さえ８２とかんぬきばね８３との間に配置されている。かんぬき押さえ８４は、基部８１の一端部８１ａから、かんぬき７０の頭部７１と重なる位置まで延びている。かんぬき押さえ８４の先端部は、基端部よりも幅広に形成されている。かんぬき押さえ８４の先端部は、かんぬき７０を地板１１側に向かって押さえている。
【００４７】
次に、切替機構４０の動作について説明する。なお、以下の説明における「時計回り」は、ムーブメント１０を裏側から見た状態における時計回り（すなわち図２および図３における時計回り）である。反時計回りについても同様である。
図３に示すように、巻真４１が軸線Ｌ方向に沿ってムーブメント１０の内側に一番近い位置（以下、「０段目」という。）にある状態では、かんぬき７０の第１係合凹部７２ａにおしどり５０の係合突部５５が入り込んでいる。また、巻真４１が０段目にある状態では、おしどり５０の第１凹部５４ａに係合レバー６１の係合部６３が入り込んでいる。これにより、巻真４１は、０段目に位置決めされる。
【００４８】
０段目では、かんぬき７０の頭部７１は、つづみ車４３がきち車４５と噛み合うように、つづみ車４３を保持している。ここで、つづみ車４３は、巻真４１に対して回転不能に設けられている。このため、０段目で巻真４１を回転させると、つづみ車４３が巻真４１と一体となって回転し、さらに、つづみ車４３を介してきち車４５が回転する。そして、きち車４５が回転することにより、きち車４５と噛み合う丸穴車（不図示）が回転する。そして、丸穴車が回転することにより、角穴車を介して香箱車に収容された主ぜんまい（いずれも不図示）を巻き上げる。
【００４９】
図４から図６は、第１実施形態の切替機構の動作説明図であって、切替機構の一部の構成を裏側から見た平面図である。
続いて、巻真４１を０段目から軸線Ｌ方向に沿ってムーブメント１０の外側に向けて引っ張ると、おしどり５０の頭部５２が巻真４１の変位に追随するようにムーブメント１０の外側に向かって変位する。つまり、おしどり５０は、第１回動軸Ｐを中心にして、時計回りに回動する。すると、図４に示すように、係合レバー６１の係合部６３は、おしどり５０から見て、第１凹部５４ａから第１山部５６ａへと移動する。このため、係合レバー６１は、おしどり５０に押圧され、第２回動軸Ｑを中心として、反時計回りに回動する。なお、係合レバー６１の係合部６３がおしどり５０の第１山部５６ａの頂点に位置している状態を０．５段目という。
【００５０】
係合レバー６１が反時計回りに回動すると、係合レバー６１と一体形成された付勢部６２の基端は、ムーブメント１０の外側に向かって変位する。ここで、付勢部６２の先端の膨出部６２ａは、地板１１の溝１１ａ（図２参照）における径方向の内側を向く面に当接している。これにより、付勢部６２は、撓み変形して、係合レバー６１を第２回動軸Ｑを中心として時計回りに付勢する。付勢部６２の撓みは、係合レバー６１の係合部６３が０段目の位置から０．５段目の位置に向かって変位するに従い大きくなる。このため、係合レバー６１に対する付勢部６２の付勢力は、係合レバー６１の係合部６３が０段目の位置から０．５段目の位置に向かって変位するに従い大きくなる。
【００５１】
また、巻真４１を０段目から軸線Ｌ方向に沿ってムーブメント１０の外側に向けて引っ張ると、おしどり５０の係合突部５５は、かんぬき７０から見て、かんぬき７０の第１係合凹部７２ａから第１係合山部７４ａへと移動する。このため、かんぬき７０は、おしどり５０に押圧され、第３回動軸Ｒを中心として、反時計回りに回動する。この際、かんぬき７０は、かんぬきばね８３（図２参照）を押圧して、かんぬきばね８３を撓ませながら回動する。換言すると、かんぬき７０は、かんぬきばね８３のばね力に抗しながら反時計回りに回動する。
【００５２】
かんぬき７０が反時計回りに回動すると、かんぬき７０の頭部７１がムーブメント１０の内側に向かって変位する。すると、つづみ車４３は、かんぬき７０の頭部７１の変位に追随するように、軸線Ｌ方向に沿ってムーブメント１０の内側に向かって変位する。つまり、つづみ車４３は、きち車４５から離間する方向に変位する。これにより、つづみ車４３ときち車４５との噛み合いが解除される。
【００５３】
続いて、巻真４１を０．５段目から軸線Ｌ方向に沿ってムーブメント１０の外側に向けて引っ張ると、おしどり５０の頭部５２が巻真４１の変位に追随するようにムーブメント１０の外側に向かって変位する。つまり、おしどり５０は、第１回動軸Ｐを中心にして、時計回りに回動する。すると、図５に示すように、係合レバー６１の係合部６３は、おしどり５０から見て、第１山部５６ａを乗り越える。この際、係合レバー６１は、付勢部６２により第２回動軸Ｑを中心として時計回りに付勢されているので、元の位置（０段目における位置）に戻る。そして、係合レバー６１の係合部６３は、おしどり５０の第２凹部５４ｂに入り込む。なお、係合レバー６１の係合部６３がおしどり５０の第２凹部５４ｂに入り込んでいる状態を１段目という。
【００５４】
付勢部６２の撓みは、係合レバー６１の係合部６３が０．５段目の位置から１段目の位置に向かって変位するに従い小さくなる。このため、係合レバー６１に対する付勢部６２の付勢力は、係合レバー６１の係合部６３が０．５段目の位置から１段目の位置に向かって変位するに従い小さくなる。巻真４１は、おしどり５０の第２凹部５４ｂに係合レバー６１の係合部６３が入り込むことにより、１段目に位置決めされる。
【００５５】
また、巻真４１を０．５段目から軸線Ｌ方向に沿ってムーブメント１０の外側に向けて引っ張ると、おしどり５０の係合突部５５は、かんぬき７０から見て、かんぬき７０の第１係合山部７４ａを乗り越える。なお、かんぬき７０は、かんぬきばね８３（図２参照）により時計回りに付勢されているので、かんぬき７０にはおしどり５０の係合突部５５が常時摺接する。かんぬき７０は、おしどり５０に押圧され、第３回動軸Ｒを中心として、反時計回りに回動する。そして、１段目において、おしどり５０の係合突部５５は、かんぬき７０の第２係合凹部７２ｂに入り込む。
【００５６】
かんぬき７０が反時計回りに回動すると、かんぬき７０の頭部７１がムーブメント１０の内側に向かってさらに変位する。すると、つづみ車４３は、かんぬき７０の頭部７１の変位に追随するように、軸線Ｌ方向に沿ってムーブメント１０の内側に向かってさらに変位する。そして、つづみ車４３が小鉄車２３（図２参照）と噛み合うとともに、かんぬき７０に設けられた係合ピン７３が小鉄レバー２４のレバー本体２７の側縁に接触する。ここで、つづみ車４３は、巻真４１に対して回転不能に設けられている。このため、１段目で巻真４１を回転させると、つづみ車４３が巻真４１と一体となって回転し、さらに、つづみ車４３を介して小鉄車２３が回転する。そして、小鉄車２３が回転することにより、小鉄車２３と噛み合う日修正伝え車２２、日修正伝え車２２と噛み合う日修正車２１を介して日車１５（が回転する（図２参照）。これにより、日車１５を回転させて、日付を修正できる。
【００５７】
続いて、巻真４１を１段目から軸線Ｌ方向に沿ってムーブメント１０の外側に向けて引っ張ると、おしどり５０の頭部５２が巻真４１の変位に追随するようにムーブメント１０の外側に向かって変位する。つまり、おしどり５０は、第１回動軸Ｐを中心にして、時計回りに回動する。すると、図６に示すように、係合レバー６１の係合部６３は、おしどり５０から見て、第２凹部５４ｂから第２山部５６ｂを乗り越えて第３凹部５４ｃへと移動する。この際、係合レバー６１は、付勢部６２により第２回動軸Ｑを中心として時計回りに付勢されているので、係合レバー６１の係合部６３は、おしどり５０の第３凹部５４ｃに入り込む。なお、係合レバー６１の係合部６３がおしどり５０の第３凹部５４ｃに入り込んでいる状態を２段目という。巻真４１は、おしどり５０の第３凹部５４ｃに係合レバー６１の係合部６３が入り込むことにより、２段目に位置決めされる。
【００５８】
また、巻真４１を１段目から軸線Ｌ方向に沿ってムーブメント１０の外側に向けて引っ張ると、おしどり５０の係合突部５５は、かんぬき７０から見て、かんぬき７０の第２係合凹部７２ｂから第２係合山部７４ｂを乗り越えて第３係合凹部７２ｃへと移動する。かんぬき７０は、おしどり５０に押圧され、第３回動軸Ｒを中心として、反時計回りに回動する。そして、２段目において、おしどり５０の係合突部５５は、かんぬき７０の第３係合凹部７２ｃに入り込む。
【００５９】
図２に示すように、かんぬき７０が反時計回りに回動すると、かんぬき７０の頭部７１がムーブメント１０の内側に向かってさらに変位する。すると、つづみ車４３は、かんぬき７０の頭部７１の変位に追随するように、軸線Ｌ方向に沿ってムーブメント１０の内側に向かってさらに変位する。そして、かんぬき７０の係合ピン７３は、小鉄レバー２４のレバー本体２７の側縁をさらに反時計回りに押圧する。ここで、小鉄レバー２４のレバー本体２７は、軸部２５回りに回動可能に設けられている。このため、小鉄レバー２４のレバー本体２７は、係合ピン７３に押圧されることで、日修正伝え車２２との噛み合いを解除して、ムーブメント１０の内側に向かって変位する。そして、小鉄車２３は、日の裏車３１と噛み合う。
【００６０】
ここで、つづみ車４３は、巻真４１に対して回転不能に設けられている。このため、２段目で巻真４１を回転させると、つづみ車４３が巻真４１と一体となって回転し、さらに、つづみ車４３を介して小鉄車２３が回転する。そして、小鉄車２３が回転することにより、小鉄車２３と噛み合う日の裏車３１を介して筒車３２および分車（不図示）が回転する。これにより、筒車３２および分車を回転させて、時刻を修正できる。
【００６１】
続いて、巻真４１を２段目から０段目に押し戻すと、おしどり５０の頭部５２が巻真４１の変位に追随するようにムーブメント１０の内側に向かって変位する。つまり、おしどり５０は、第１回動軸Ｐを中心にして、反時計回りに回動する。すると、図３に示すように、係合レバー６１の係合部６３は、おしどり５０から見て、第３凹部５４ｃから第２山部５６ｂを乗り越えて第２凹部５４ｂへと移動し、さらに第１山部５６ａを乗り越えて第１凹部５４ａに入り込む。
【００６２】
また、巻真４１を２段目から０段目に押し戻すと、おしどり５０の係合突部５５は、かんぬき７０から見て、かんぬき７０の第３係合凹部７２ｃから第２係合山部７４ｂを乗り越えて第２係合凹部７２ｂへと移動する。さらに、おしどり５０の係合突部５５は、第１係合山部７４ａを乗り越えて第１係合凹部７２ａに入り込む。かんぬき７０は、かんぬきばね８３（図２参照）により第３回動軸Ｒを中心として時計回りに付勢されているので、おしどり５０の変位に追随するように、第３回動軸Ｒを中心として時計回りに回動する。
【００６３】
図２に示すように、かんぬき７０が時計回りに回動すると、かんぬき７０の頭部７１がムーブメント１０の外側に向かって変位する。すると、つづみ車４３は、かんぬき７０の頭部７１の変位に追随するように、軸線Ｌ方向に沿ってムーブメント１０の外側に向かって変位し、きち車４３に噛み合う。また、小鉄車２３は、小鉄レバー２４のばね部２８によりムーブメント１０の外側に向かって付勢されているので、つづみ車４３の変位に追随するように、ムーブメント１０の外側に向かって変位する。これにより、小鉄車２３は、日の裏車３１との噛み合いを解除して、日修正伝え車２２と噛み合う。
【００６４】
次に、クリックばね６０の係合レバー６１および付勢部６２の作用について説明する。
図３に示すように、係合レバー６１は、上述したように、おしどり５０の複数の凹部５４ａ〜５４ｃのいずれかと係合することで、巻真４１を０段目、１段目および２段目のそれぞれにおいて位置決めする。係合レバー６１に作用する付勢部６２の付勢力は、おしどり５０から見て係合部６３が第１山部５６ａまたは第２山部５６ｂを乗り越える際に増減する。これにより、使用者が巻真４１を引き出す際、および押し込む際に、クリック感を得ることができる。
【００６５】
係合レバー６１は、おしどり５０の変位に伴って、第２回動軸Ｑ回りに回動する。係合レバー６１のうち、おしどり５０と係合する位置は、係合レバー６１の先端の係合部６３である。つまり、係合レバー６１におけるおしどり５０と係合する位置と、係合レバー６１の回動中心である第２回動軸Ｑと、の距離は、おしどり５０の回動位置によらず略一定となっている。このため、係合部６３におしどり５０の第１山部５６ａおよび第２山部５６ｂを乗り越えさせるのに要する力は同等となる。なお、本実施形態では、この力は同等としたが、第１山部５６ａおよび第２山部５６ｂの傾斜角度と高さによって任意に設定することができる。
【００６６】
このように、本実施形態によれば、おしどり５０が有する複数の凹部５４ａ〜５４ｃは、第１回動軸Ｐ周りの周方向に沿って並んでいるので、おしどり５０が巻真４１の移動に伴って第１回動軸Ｐ回りに回動した際に、第１回動軸Ｐ周りの周方向に沿って変位する。このため、係合レバー６１の係合部６３と、係合部６３が入り込む凹部５４ａ〜５４ｃと、の接触位置は、係合レバー６１の回動中心である第２回動軸Ｑから見て、おしどり５０の回動位置によらず略一定となる。これにより、係合部６３が凹部５４ａ〜５４ｃに入り込んだ状態から、付勢部６２に付勢された係合レバー６１を回動させるのに要する力は、係合部６３がいずれの凹部５４ａ〜５４ｃに入り込んでいても同等となる。このため、巻真４１の操作時のクリック感が、巻真４１の位置によってばらつくことを抑制でき、巻真４１の操作時のクリック感を所望の大きさに容易に設定できる。なお、本実施形態では、係合レバー６１を回動させるのに要する力は同等としたが、第１山部５６ａおよび第２山部５６ｂの傾斜角度と高さによって任意に設定することができる。したがって、巻真４１の操作時のクリック感を、巻真４１の位置によらず所望の大きさに任意に設定できるのである。
【００６７】
しかも、係合レバー６１は、付勢部６２により付勢されているので、係合レバー自体が撓み変形して付勢力を発生させる従来技術の構成と比較して、係合レバー６１の形状および配置位置の自由度を向上させることができる。よって、ムーブメント１０の構成部品のレイアウト自由度を向上させることができ、ムーブメント１０および時計１を小型化することが可能となる。
【００６８】
また、付勢部６２は、係合レバー６１と一体形成されている。このため、係合レバー６１と付勢部６２とを１つの部品として形成できるので、係合レバーと付勢部とが別部品として形成される構成と比較して、ムーブメント１０の部品点数を削減でき、製造コストを削減することができる。
【００６９】
また、係合レバー６１は、おしどり５０と同一平面上に配置されているので、係合レバー６１がおしどり５０と重なるように配置される構成と比較して、おしどり５０および係合レバー６１が占有するスペースを薄くすることができる。したがって、ムーブメント１０を小型化することができる。
【００７０】
［第１実施形態の変形例］
図７は、第１実施形態の変形例に係るムーブメントの一部の構成を裏側から見た平面図である。
第１実施形態では、クリックばね６０の付勢部６２の先端は、地板１１に形成された溝１１ａ内に当接している。これに対して図７に示す第１実施形態の変形例では、クリックばね１６０の付勢部１６２の先端は、偏心ピン３５に当接している点で、第１実施形態と異なっている。なお、第１実施形態と同様の構成については、同一符号を付して詳細な説明を省略する（以下の実施形態についても同様）。
【００７１】
図７に示すように、ムーブメント１１０の切替機構１４０は、クリックばね１６０と、偏心ピン３５と、を備えている。
クリックばね１６０は、係合レバー６１と、係合レバー６１を付勢する付勢部１６２と、を備えている。付勢部１６２は、係合レバー６１と一体形成されている。付勢部１６２は、係合レバー６１の基端部から、係合レバー６１とは異なる方向に向かって延びている。本実施形態では、付勢部１６２は、係合レバー６１の基端部から、第２回動軸Ｑを挟んでおしどり５０の尾部５３とは反対側に向かって延びている。付勢部１６２は、中心軸Ｏ周りの周方向（図２参照）に沿って延びている。付勢部１６２は、撓み変形可能に形成されている。付勢部１６２の先端には、径方向における内側に向かって膨出する膨出部１６２ａが形成されている。
【００７２】
偏心ピン３５は、地板１１（図２参照）の裏側に配置されている。偏心ピン３５は、地板１１に摺動回転可能に支持された軸部３５ａと、軸部３５ａの裏側に設けられ、軸部３５ａに対して偏心した偏心頭部３５ｂと、を備えている。偏心頭部３５ｂの外周面は、付勢部１６２の先端に対し、ムーブメント１１０の外側から内側に向かう方向に当接している。偏心ピン３５は、地板１１に対して軸部３５ａを中心として偏心頭部３５ｂを回転させることで、軸部３５ａの中心軸線に対する付勢部１６２の先端の位置を調整できる。つまり、偏心ピン３５は、偏心頭部３５ｂを回転させることで、付勢部１６２の撓み変形量を調整できる。
【００７３】
このように、本変形例では、付勢部１６２に当接し、付勢部１６２の撓み変形量を調整可能な偏心ピン３５を備えるので、偏心ピン３５により付勢部１６２の撓み変形量を調整することで、付勢部１６２に付勢される係合レバー６１を回動させるのに要する力を調整できる。したがって、巻真４１の操作時のクリック感をより容易に調整できる。
【００７４】
［第２実施形態］
図８は、第２実施形態に係るムーブメントの裏側の平面図である。
第１実施形態では、係合レバー６１と付勢部６２とが一体形成されている。これに対して図８に示す第２実施形態では、係合レバー２６１と付勢部２６２とが別部品である点で、第１実施形態と異なっている。
【００７５】
図８に示すように、ムーブメント２１０は、基盤を構成する地板２１１と、地板２１１の裏側に配置された日車１５と、地板２１１に組み込まれた日修正機構２２０、表輪列（不図示）、裏輪列３０および切替機構２４０と、を備えている。
【００７６】
日修正機構２２０は、日修正車２１と、日修正伝え車２２と、小鉄車２３と、小鉄レバー２２４と、を備えている。小鉄レバー２２４は、地板２１１に設けられた軸部２２５回りに回動可能に設けられている。小鉄レバー２２４は、軸部２２５に支持された基端部を有するレバー本体２２７と、レバー本体２２７の基端部から延出するばね部２２８と、を備え、これらが一体形成されている。レバー本体２２７の基端部は、平面視で日車１５と重なる位置に設けられている。レバー本体２２７は、基端部からムーブメント２１０の内側に向かって延出している。レバー本体２２７の先端部には、小鉄車２３が回転可能に支持されている。レバー本体２２７には、後述するかんぬき２７０の係合ピン２７３が挿通される貫通孔２２７ａが形成されている。ばね部２２８は、中心軸Ｏ周りの周方向に沿って延在している。ばね部２２８の先端には、径方向の外側に向かって膨出する膨出部２２８ａが形成されている。ばね部２２８は、地板２１１に形成された溝２１１ａ内に配置され、膨出部２２８ａが地板２１１の溝２１１ａにおける径方向の内側を向く面に当接している。これにより、ばね部２２８は、地板２１１の軸部２２５を中心にしてレバー本体２２７を図７における時計回りに付勢する。
【００７７】
切替機構２４０は、巻真４１と、つづみ車４３と、おしどり２５０と、係合レバー２６１と、付勢部２６２と、かんぬき２７０と、かんぬきばね２９０と、裏押さえ２８０と、を備えている。
【００７８】
おしどり２５０は、地板２１１に突設された第１支軸２１１ｂに支持され、第１回動軸Ｐ回りに回動可能に設けられている。第１回動軸Ｐは、中心軸Ｏと平行に設けられている。おしどりは、第１支軸２１１ｂに支持された中央部２５１と、中央部２５１から延びる頭部２５２および尾部２５３と、を備えている。中央部２５１は、中心軸Ｏ周りの周方向において、巻真４１と隣り合うように配置されている。中央部２５１は、巻真４１を挟んで地板２１１の軸部２２５とは反対側に配置されている。おしどり２５０の頭部２５２は、中央部２５１から離間するに従い幅が漸次狭まるように形成されている。おしどり２５０の頭部２５２には、おしどり係合ピン２５７が突設されている。おしどり係合ピン２５７は、第１回動軸Ｐの軸方向に沿って地板２１１側に向かって延びる円柱状に形成されている。おしどり係合ピン２５７は、巻真４１の括れ部４１ａに配置されている。おしどり２５０は、巻真４１の軸線Ｌ方向の移動に追随して頭部２５２が変位するように、第１回動軸Ｐ回りに回動する。
【００７９】
図９は、第２実施形態に係るムーブメントの一部の構成を裏側から見た平面図である。
図９に示すように、尾部２５３は、中央部２５１から、中央部２５１を挟んで頭部２５２とは反対側に延出している。尾部２５３の先端は、尾部２５３の基端よりも幅が広くなるように形成されている。尾部２５３は、複数（本実施形態では３つ）の凹部２５４ａ〜２５４ｃと、係合突部２５５と、を備えている。
【００８０】
複数の凹部２５４ａ〜２５４ｃは、第１凹部２５４ａと、第２凹部２５４ｂと、第３凹部２５４ｃと、である。各凹部２５４ａ〜２５４ｃは、尾部２５３の先端縁に形成されている。各凹部２５４ａ〜２５４ｃは、第１回動軸Ｐ周りの周方向に並んで形成されている。各凹部２５４ａ〜２５４ｃは、第１凹部２５４ａ、第２凹部２５４ｂ、第３凹部２５４ｃの順に、ムーブメント１０の内側から外側に向かう方向に並んでいる。各凹部２５４ａ〜２５４ｃは、平面視で巻真４１とは反対側に開口している。第１凹部２５４ａと第２凹部２５４ｂとの間には、滑らかな第１山部２５６ａが形成されている。第２凹部２５４ｂと第３凹部２５４ｃとの間には、滑らかな第２山部２５６ｂが形成されている。
【００８１】
係合突部２５５は、複数の凹部２５４ａ〜２５４ｃよりもムーブメント２１０の内側寄りの位置に形成されている。係合突部２５５は、ムーブメント２１０の内側に向かって突出している。係合突部２５５は、かんぬき２７０に係合されている。
【００８２】
係合レバー２６１は、地板２１１（図８参照）に突設された第２支軸２１１ｃに回動可能に支持された第１レバー部２６４と、第１レバー部２６４に突設された第１係合ピン２６５（係合部）と、第１レバー部２６４の基端部から延びる第２レバー部２６６と、第２レバー部２６６に突設された第２係合ピン２６７と、を備えている。
【００８３】
第１レバー部２６４は、第２回動軸Ｑ回りに回動可能に設けられている。第２回動軸Ｑは、第１回動軸Ｐと平行に設けられている。第２回動軸Ｑは、おしどり２５０の尾部２５３を挟んで、第１回動軸Ｐとは反対側に設けられている。第１レバー部２６４は、中心軸Ｏの軸方向において、おしどり２５０を挟んで地板２１１とは反対側に配置されている。第１レバー部２６４は、おしどり２５０の尾部２５３に向かって延びている。
【００８４】
第１係合ピン２６５は、円柱状に形成されている。第１係合ピン２６５は、第１レバー部２６４の先端部から、中心軸Ｏの軸方向に沿って地板２１１側に向かって延びている。第１係合ピン２６５は、おしどり２５０の凹部２５４ａ〜２５４ｃに入り込む。
【００８５】
第２レバー部２６６は、第１レバー部２６４の基端部から、第１レバー部２６４とは反対側に向かって延びている。
第２係合ピン２６７は、円柱状に形成されている。第２係合ピン２６７は、第２レバー部２６６の先端部から、中心軸Ｏの軸方向に沿って地板２１１とは反対側に向かって延びている。
【００８６】
図８に示すように、付勢部２６２は、係合レバー２６１とは別体に形成されている。付勢部２６２は、係合レバー２６１の第１係合ピン２６５がおしどり２５０の凹部２５４ａ〜２５４ｃに入り込むように、係合レバー２６１をおしどり２５０の凹部２５４ａ〜２５４ｃに向けて付勢する。付勢部２６２は、地板２１１に対して固定された固定部２６８と、固定部２６８から延出し、撓み変形可能に形成されたばね部２６９と、を備え、これらが一体形成されている。固定部２６８は、中心軸Ｏ周りの周方向において、係合レバー２６１を挟んでおしどり２５０とは反対側に配置されている。固定部２６８は、長円形状に形成されている。固定部２６８は、その長軸が中心軸Ｏ周りの周方向に沿うように配置されている。ばね部２６９は、固定部２６８から係合レバー２６１に向かって、中心軸Ｏ周りの周方向に沿って延びている。ばね部２６９の先端は、係合レバー２６１の第２係合ピン２６７に対して、ムーブメント２１０の外側から内側に向かう方向に当接している。
【００８７】
図９に示すように、かんぬき２７０は、おしどり２５０と同一平面上に並んで配置されている。すなわち、かんぬき２７０は、径方向から見ておしどり２５０と重なるように配置されている。かんぬき２７０は、地板２１１（図８参照）に対して第３回動軸Ｒ回りに回動可能に設けられている。第３回動軸Ｒは、第１回動軸Ｐと平行に設けられている。第３回動軸Ｒは、おしどり２５０の尾部２５３を挟んで、第１回動軸Ｐとは反対側に設けられている。本実施形態では、かんぬき２７０は、地板２１１に設けられた軸部２２５により回動可能に支持されている。かんぬき２７０は、頭部２７１と、係合ピン２７３と、を備えている。
【００８８】
かんぬき２７０の頭部２７１は、つづみ車４３の括れ部４３ａに配置されている。かんぬき２７０は、第３回動軸Ｒ回りに回動して頭部２７１を変位させることにより、つづみ車４３を巻真４１上で軸線Ｌ方向に移動させる。また、かんぬき２７０の頭部２７１の先端は、おしどり２５０の係合突部２５５に対してムーブメント２１０の内側から外側に向かう方向に当接している。かんぬき２７０の頭部２７１の先端は、第１角部２７１ａと、第１角部２７１ａよりも第３回動軸Ｒを中心とする時計回り方向下流側に形成された第２角部２７１ｂと、を備えている。
係合ピン２７３は、かんぬき２７０の頭部２７１と基端との間に配置されている。係合ピン２７３は、中心軸Ｏの軸方向に沿って、地板２１１とは反対側に向かって突設されている。
【００８９】
図８に示すように、かんぬきばね２９０は、地板２１１に対して固定された固定部２９１と、固定部２９１から延出し、撓み変形可能に形成されたばね本体２９２と、を備え、これらが一体形成されている。固定部２９１は、長円形状に形成されている。固定部２９１は、その長軸が中心軸Ｏ周りの周方向に沿うように、かつ小鉄レバー２２４のばね部２２８の先端と中心軸Ｏ周りの周方向における同じ位置に配置されている。ばね本体２９２は、固定部２９１から巻真４１に向かって、中心軸Ｏ周りの周方向に沿って延びている。ばね本体２９２の先端は、かんぬき２７０の係合ピン２７３に対して、ムーブメント２１０の内側から外側に向かう方向に当接している。これにより、かんぬきばね２９０は、かんぬき２７０を第３回動軸Ｒを中心として図８における時計回りに付勢する。
【００９０】
裏押さえ２８０は、地板２１１の裏側に配置されたムーブメント２１０の構成部品を地板２１１に向かって押さえる。裏押さえ２８０は、おしどり２５０およびかんぬき２７０を挟んで地板２１１とは反対側に配置されている。裏押さえ２８０は、地板２１１に固定された基部２８１と、基部２８１から延びるおしどり押さえ２８２およびかんぬき押さえ２８４と、を備えている。
基部２８１は、中心軸Ｏ周りの周方向に沿って延び、中心軸Ｏの軸方向から見てかんぬきばね２９０に重なるように配置されている。
【００９１】
おしどり押さえ２８２は、基部２８１における巻真４１に近い側の一端部２８１ａから、巻真４１を乗り越えて、おしどり２５０の中央部２５１と重なる位置まで延びている。おしどり押さえ２８２の先端部は、平面視で地板２１１の第１支軸２１１ｂを避けるようにＹ字状に形成されている。おしどり押さえ２８２の先端部は、おしどり２５０を地板２１１側に向かって押さえている。
【００９２】
かんぬき押さえ２８４は、おしどり押さえ２８２よりもムーブメント２１０の内側寄りの位置に配置されている。かんぬき押さえ２８４は、基部２８１の一端部２８１ａから、巻真４１を乗り越えて、係合レバー２６１の第１レバー部２６４の先端部と重なる位置まで延びている。かんぬき押さえ２８４は、平面視でかんぬき２７０の頭部２７１と重なるように配置されている。かんぬき押さえ２８４は、かんぬき２７０を地板２１１側に向かって押さえているとともに、先端部において係合レバー２６１を地板２１１側に向かって押さえている。
【００９３】
次に、切替機構２４０の動作について簡単に説明する。なお、第１実施形態の切替機構４０と同様の動作については、詳細な説明を省略する。また、以下の説明における「時計回り」は、ムーブメント２１０を裏側から見た状態における時計回り（すなわち図８および図９における時計回り）である。反時計回りについても同様である。
図９に示すように、巻真４１が軸線Ｌ方向に沿ってムーブメント２１０の内側に一番近い位置（以下、「０段目」という。）にある状態では、おしどり２５０の第１凹部２５４ａに係合レバー２６１の第１係合ピン２６５が入り込んでいる。これにより、巻真４１は、０段目に位置決めされる。また、０段目では、かんぬき２７０の頭部２７１は、つづみ車４３がきち車４５と噛み合うように、つづみ車４３を保持している。また、０段目では、おしどり２５０の係合突部２５５は、かんぬき２７０の頭部２７１の第１角部２７１ａに、ムーブメント２１０の外側から内側に向かう方向に当接している。
【００９４】
続いて、巻真４１を０段目から軸線Ｌ方向に沿ってムーブメント２１０の外側に向けて引っ張ると、おしどり２５０の頭部２５２が巻真４１の変位に追随するようにムーブメント２１０の外側に向かって変位する。つまり、おしどり２５０は、第１回動軸Ｐを中心にして、反時計回りに回動する。ここで、付勢部２６２のばね部２６９の先端は、係合レバー２６１の第２係合ピン２６７に対して、ムーブメント２１０の外側から内側に向かう方向に当接している。これにより、係合レバー２６１は、時計回りに回動すると、付勢部２６２により反時計回りに付勢される。このため、係合レバー２６１の第１係合ピン２６５は、おしどり２５０から見て、第１凹部２５４ａから第１山部２５６ａを乗り越えて第２凹部２５４ｂへと移動し、さらに第２山部２５６ｂを乗り越えて第３凹部２５４ｃへと移動する。この際、第１実施形態の切替機構４０と同様に、係合レバー２６１に作用する付勢部２６２の付勢力は、おしどり２５０から見て第１係合ピン２６５が第１山部２５６ａまたは第２山部２５６ｂを乗り越える際に増減する。これにより、使用者が巻真４１を引き出す際、および押し込む際に、クリック感を得ることができる。なお、係合レバー２６１の第１係合ピン２６５がおしどり２５０の第３凹部２５４ｃに入り込んでいる状態を２段目という。
【００９５】
また、巻真４１を０段目から軸線Ｌ方向に沿ってムーブメント２１０の外側に向けて引っ張ると、おしどり２５０の係合突部２５５は、ムーブメント２１０の外側から内側に向かう方向に移動する。すると、０段目から１段目までの移動では、かんぬき２７０の頭部２７１の第１角部２７１ａは、おしどり２５０の係合突部２５５に押圧され、ムーブメント２１０の内側に向かって変位する。また、１段目において，おしどり２５０の係合突部２５５は、かんぬき２７０の頭部２７１の第１角部２７１ａおよび第２角部２７１ｂに接触する。１段目から２段目までの移動では、かんぬき２７０の頭部２７１の第２角部２７１ｂは、おしどり２５０の係合突部２５５に押圧され、さらにムーブメント２１０の内側に向かって変位する．つまり、かんぬき２７０は、第３回動軸Ｒを中心として、反時計回りに回動する。この際、かんぬき２７０は、かんぬきばね２９０のばね本体２９２を押圧して、ばね本体２９２を撓ませながら回動する（図８参照）。
【００９６】
かんぬき２７０が反時計回りに回動すると、かんぬき２７０の頭部２７１がムーブメント２１０の内側に向かって変位する。すると、つづみ車４３は、かんぬき２７０の頭部２７１の変位に追随するように、軸線Ｌ方向に沿ってムーブメント２１０の内側に向かって変位する。これにより、つづみ車４３は、きち車４５から離間したのち、小鉄車２３に噛み合う。この時、図８および図９に示すように、かんぬき２７０の係合ピン２７３は、小鉄レバー２２４の貫通孔２２７ａに当接する。かんぬき２７０がさらに反時計回りに回動すると、小鉄レバー２２４は、貫通孔２２７ａに当接する係合ピン２７３に押圧され、ムーブメント２１０の内側に向かって変位する。つまり、小鉄レバー２２４は、第３回動軸Ｒを中心として、反時計回りに回動する。この際、小鉄レバー２２４は、ばね部２２８を撓ませながら回動する。すると、小鉄車２３は、小鉄レバー２２４のレバー本体２２７の変位に追随するようにムーブメント２１０の内側に向かって変位する。これにより小鉄車２３は、日修正伝え車２２から離間したのち、日の裏車３１に噛み合う。この間、小鉄車２３とつづみ車４３とは、常に噛み合っている。
【００９７】
続いて、図９に示すように、巻真４１を２段目から０段目に押し戻すと、おしどり２５０の頭部２５２が巻真４１の変位に追随するようにムーブメント２１０の内側に向かって変位する。つまり、おしどり２５０は、第１回動軸Ｐを中心にして、時計回りに回動する。すると、係合レバー２６１の第１係合ピン２６５は、おしどり２５０から見て、第３凹部２５４ｃから第２山部２５６ｂを乗り越えて第２凹部２５４ｂへと移動し、さらに第１山部２５６ａを乗り越えて第１凹部２５４ａに入り込む。
【００９８】
また、巻真４１を２段目から０段目に押し戻すと、おしどり２５０の係合突部２５５は、ムーブメント２１０の内側から外側に向かう方向に移動する。かんぬき２７０は、かんぬきばね２９０（図８参照）により第３回動軸Ｒを中心として時計回りに付勢されているので、おしどり２５０の変位に追随するように、第３回動軸Ｒを中心として時計回りに回動する。
【００９９】
かんぬき２７０が時計回りに回動すると、かんぬき２７０の頭部２７１がムーブメント２１０の外側に向かって変位する。すると、つづみ車４３は、かんぬき２７０の頭部２７１の変位に追随するように、軸線Ｌ方向に沿ってムーブメント２１０の外側に向かって変位し、きち車４５に噛み合う。また、図８に示すように、小鉄車２３は、小鉄レバー２２４のばね部２２８によりムーブメント２１０の外側に向かって付勢されているので、つづみ車４３の変位に追随するように、ムーブメント２１０の外側に向かって変位する。これにより、小鉄車２３は、日の裏車３１との噛み合いを解除して、日修正伝え車２２と噛み合う。
【０１００】
このように、本実施形態によれば、おしどり２５０が有する複数の凹部２５４ａ〜２５４ｃは、第１回動軸Ｐ周りの周方向に沿って並び、係合レバー２６１が凹部２５４ａ〜２５４ｃに入り込む第１係合ピン２６５を有するので、第１実施形態と同様に、巻真４１の操作時のクリック感が、巻真４１の位置によってばらつくことを抑制でき、巻真４１の操作時のクリック感を所望の大きさに容易に設定できる。なお、本実施形態では、第１実施形態と同様に、第１山部２５６ａおよび第２山部２５６ｂの傾斜角度と高さによって任意に設定することができる。従って、巻真４１の操作時のクリック感を、巻真４１の位置によらず所望の大きさに任意に設定できるのである。
しかも、係合レバー２６１は、付勢部２６２により付勢されているので、第１実施形態と同様に、ムーブメント２１０の構成部品のレイアウト自由度を向上させることができる。したがって、ムーブメント２１０およびムーブメント２１０を備える時計を小型化することが可能となる。
【０１０１】
また、付勢部２６２は、係合レバー２６１とは別体に形成されている。このため、係合レバー２６１と付勢部２６２とを別部品として形成できるので、係合レバーと付勢部とが１つの部品として形成される構成と比較して、付勢部２６２の配置位置の自由度を向上させることができる。したがって、ムーブメント２１０の構成部品のレイアウト自由度を向上させることができる。
【０１０２】
なお、付勢部の形状は、図示の形状に限定されず、第１係合ピン２６５をおしどり２５０の凹部２５４ａ〜２５４ｃに向けて付勢できればよい。
図１０は、第２実施形態の第１変形例に係るムーブメントの一部の構成を裏側から見た平面図である。図１１は、第２実施形態の第２変形例に係るムーブメントの一部の構成を裏側から見た平面図である。
例えば、図１０に示すように、付勢部３６２は、係合レバー３６１に突設された第２係合ピン３６６に当接する変形可能なＵ字状の部材であってもよい。また、図１１に示すように、付勢部４６２は、ぜんまい状に形成され、一端が係合レバー４６１に接続され、他端が地板（不図示）に接続されることにより、係合レバー４６１を付勢するように構成されていてもよい。
【０１０３】
図１２は、第２実施形態の第３変形例に係るムーブメントの一部の構成を裏側から見た平面図である。
さらに、図１２に示すように、付勢部５６２は、地板の裏側に配置されたムーブメントの構成部品を地板（いずれも不図示）に向かって押さえる裏押さえ５８０と一体形成されていてもよい。具体的に、裏押さえ５８０は、地板に固定された基部５８１と、基部５８１から延びるおしどり押さえ５８２（押さえ部材）および付勢部５６２とを備えている。付勢部５６２は、基部５８１から巻真４１を乗り越えて、係合レバー５６１の先端部と重なる位置まで延びている。付勢部５６２は、略一定の幅で延び、撓み変形可能に形成されている。付勢部５６２の先端は、係合レバー５６１に突設された第２係合ピン５６７に対して当接し、係合レバー５６１をおしどり２５０の凹部２５４ａ〜２５４ｃに向けて付勢している。なお、付勢部５６２は、平面視でかんぬきの頭部（不図示）と重なるように配置され、かんぬきを地板側に向かって押さえるかんぬき押さえの機能を有していてもよい。
【０１０４】
このように、本変形例では、付勢部５６２は、おしどり押さえ５８２と一体形成されている。このため、おしどり押さえ５８２と付勢部５６２とを１つの部品として形成できるので、おしどり押さえと付勢部とが別部品として形成される構成と比較して、ムーブメントの部品点数を削減でき、製造コストを削減することができる。
【０１０５】
なお、本発明は、図面を参照して説明した上述の実施形態に限定されるものではなく、その技術的範囲において様々な変形例が考えられる。
例えば、上記実施形態においては、機械式時計に本発明を適用した場合について説明したが、これに限らず、アナログクォーツ式の時計に本発明を適用してもよい。
【０１０６】
また、上記各実施形態においては、おしどりが３個の凹部を有しているが、これに限定されず、おしどりは２個の凹部を有していてもよいし、４個以上の凹部を有していてもよい。
【０１０７】
その他、本発明の趣旨を逸脱しない範囲で、上記した実施の形態における構成要素を周知の構成要素に置き換えることは適宜可能である。
【符号の説明】
【０１０８】
１…時計  １０，１１０，２１０…ムーブメント  ３５…偏心ピン  ４１…巻真  ５０，２５０…おしどり  ５４ａ，２５４ａ…第１凹部（凹部）  ５４ｂ，２５４ｂ…第２凹部（凹部）  ５４ｃ，２５４ｃ…第３凹部（凹部）  ６１，２６１，３６１，４６１，５６１…係合レバー  ６２，１６２，２６２，３６２，４６２，５６２…付勢部  ６３…係合部  ２６５…第１係合ピン（係合部）  ５８２…おしどり押さえ（押さえ部材）  Ｌ…軸線  Ｐ…第１回動軸  Ｑ…第２回動軸
【図１】
2018146235.tif 000003
【図２】
2018146235.tif 000004
【図３】
2018146235.tif 000005
【図４】
2018146235.tif 000006
【図５】
2018146235.tif 000007
【図６】
2018146235.tif 000008
【図７】
2018146235.tif 000009
【図８】
2018146235.tif 000010
【図９】
2018146235.tif 000011
【図１０】
2018146235.tif 000012
【図１１】
2018146235.tif 000013
【図１２】
2018146235.tif 000014